(57)【要約】【課題】選局その他の複数の機能を簡単なリモコン操作で実行させることができるようにする。【解決手段】テレビジョン受像機の表示部２２０には、リモコンの各キーを模した各機能に対応する項目からなるメニューが表示される。リモコンを操作して所望の機能に対応する項目を選択すると、選択した項目に対応する機能が実行される。リモコンの下ページキーを１回押すと、メニューが１行分だけ上に移動し、メニューの下側に隠れていた項目が表示される。リモコンキーの上ページキーを１回押すと、メニューが１行分だけ下に移動し、メニューの上側に隠れていた項目が表示される。各項目として、チャンネル番号の他、データ放送の選局や録画した最新の番組の再生を指示する機能等を設定することができる。【選択図】図４
2006217292.tif 000002
【特許請求の範囲】
【請求項１】
リモートコントローラと、前記リモートコントローラによって制御される機器とからなるリモコンシステムであって、
前記リモートコントローラは、
筐体に設けられたページ変更キーと、
前記筐体に設けられた選択キーと、
前記ページ変更キーおよび前記選択キーが押されたか否かを検出するキー押下検出手段と、
前記キー押下検出手段によって前記ページ変更キーが押されたことが検出されたとき、前記ページ変更キーに対応する第１の制御信号を生成する第１の生成手段と、
前記キー押下検出手段によって前記選択キーが押されたことが検出されたとき、前記選択キーに対応する第２の制御信号を生成する第２の生成手段と、
前記第１の生成手段によって生成された前記第１の制御信号と、前記第２の生成手段によって生成された前記第２の制御信号を送出する送出手段と
を備え、
前記機器は、
映像および前記選択キーに対応する図形を合成して表示する表示手段と、
前記リモートコントローラから送出された前記第１の制御信号および前記第２の制御信号を受信する受信手段と、
前記受信手段によって受信された前記第１の制御信号に対応して、前記表示手段の画面に表示されている前記図形と所定の機能との対応関係を変更する変更手段と、
前記受信手段によって受信された前記第２の制御信号に対応して、前記表示手段の画面に表示された前記図形に対応する機能のうちの所定のものを選択する選択手段と、
前記選択手段によって選択された前記機能を実行する実行手段と
を備える
ことを特徴とするリモコンシステム。
【請求項２】
所定のリモートコントローラによって遠隔制御されるテレビジョン受像機であって、
映像および前記選択キーに対応する図形を合成して表示する表示手段と、
前記リモートコントローラから送出された前記第１の制御信号および前記第２の制御信号を受信する受信手段と、
前記受信手段によって受信された前記第１の制御信号に対応して、前記表示手段の画面に表示されている前記図形と所定の機能との対応関係を変更する変更手段と、
前記受信手段によって受信された前記第２の制御信号に対応して、前記表示手段の画面に表示された前記図形に対応する機能のうちの所定のものを選択する選択手段と、
前記選択手段によって選択された前記機能を実行する実行手段と
を備える
ことを特徴とするテレビジョン受像機。
【請求項３】
所定の機器を遠隔制御するリモートコントローラであって、
前記リモートコントローラは、
筐体に設けられたページ変更キーと、
前記筐体に設けられた選択キーと、
前記ページ変更キーおよび前記選択キーが押されたか否かを検出するキー押下検出手段と、
前記キー押下検出手段によって前記ページ変更キーが押されたことが検出されたとき、前記ページ変更キーに対応する第１の制御信号を生成する第１の生成手段と、
前記キー押下検出手段によって前記選択キーが押されたことが検出されたとき、前記選択キーに対応する第２の制御信号を生成する第２の生成手段と、
前記第１の生成手段によって生成された前記第１の制御信号と、前記第２の生成手段によって生成された前記第２の制御信号を送出する送出手段と
を備える
ことを特徴とするリモートコントローラ。
【請求項４】
リモートコントローラと、前記リモートコントローラによって制御される機器とからなるリモコンシステムを制御するリモコンシステムの制御方法であって、
前記リモートコントローラは、
筐体に設けられたページ変更キーとおよび選択キーが押されたか否かを検出するキー押下検出ステップと、
前記キー押下検出ステップにおいて前記ページ変更キーが押されたことが検出されたとき、前記ページ変更キーに対応する第１の制御信号を生成する第１の生成ステップと、
前記キー押下検出ステップにおいて前記選択キーが押されたことが検出されたとき、前記選択キーに対応する第２の制御信号を生成する第２の生成ステップと、
前記第１の生成ステップにおいて生成された前記第１の制御信号と、前記第２の生成手段によって生成された前記第２の制御信号を送出する送出ステップと
を備え、
前記機器は、
映像および前記選択キーに対応する図形を合成して所定の表示装置に表示する表示ステップと、
前記リモートコントローラから送出された前記第１の制御信号および前記第２の制御信号を受信する受信ステップと、
前記受信ステップにおいて受信された前記第１の制御信号に対応して、前記表示装置の画面に表示されている前記図形と所定の機能との対応関係を変更する変更ステップと、
前記受信ステップにおいて受信された前記第２の制御信号に対応して、前記表示装置の画面に表示された前記図形に対応する機能のうちの所定のものを選択する選択ステップと、
前記選択ステップにおいて選択された前記機能を実行する実行ステップと
を備える
ことを特徴とするリモコンシステムの制御方法。
【請求項５】
所定のリモートコントローラによって遠隔制御されるテレビジョン受像機の制御方法であって、
映像および前記リモートコントローラの選択キーに対応する図形を合成して所定の表示装置に表示する表示ステップと、
前記リモートコントローラから送出された第１の制御信号および第２の制御信号を受信する受信ステップと、
前記受信ステップにおいて受信された前記第１の制御信号に対応して、前記表示装置の画面に表示されている前記図形と所定の機能との対応関係を変更する変更ステップと、
前記受信ステップにおいて受信された前記第２の制御信号に対応して、前記表示装置の画面に表示された前記図形に対応する機能のうちの所定のものを選択する選択ステップと、
前記選択ステップにおいて選択された前記機能を実行する実行ステップと
を備えることを特徴とするテレビジョン受像機の制御方法。
【請求項６】
所定の機器を遠隔制御するリモートコントローラの制御方法であって、
筐体に設けられたページ変更キーとおよび選択キーが押されたか否かを検出するキー押下検出ステップと、
前記キー押下検出ステップにおいて前記ページ変更キーが押されたことが検出されたとき、前記ページ変更キーに対応する第１の制御信号を生成する第１の生成ステップと、
前記キー押下検出ステップにおいて前記選択キーが押されたことが検出されたとき、前記選択キーに対応する第２の制御信号を生成する第２の生成ステップと、
前記第１の生成ステップにおいて生成された前記第１の制御信号と、前記第２の生成手段によって生成された前記第２の制御信号を送出する送出ステップと
を備えることを特徴とするリモートコントローラの制御方法。
【請求項７】
リモートコントローラと、前記リモートコントローラによって制御される機器とからなるリモコンシステムを制御するリモコンシステムの制御プログラムであって、
前記リモートコントローラに、
前記リモートコントローラの筐体に設けられたページ変更キーとおよび選択キーが押されたか否かを検出するキー押下検出ステップと、
前記キー押下検出ステップにおいて前記ページ変更キーが押されたことが検出されたとき、前記ページ変更キーに対応する第１の制御信号を生成する第１の生成ステップと、
前記キー押下検出ステップにおいて前記選択キーが押されたことが検出されたとき、前記選択キーに対応する第２の制御信号を生成する第２の生成ステップと、
前記第１の生成ステップにおいて生成された前記第１の制御信号と、前記第２の生成手段によって生成された前記第２の制御信号を送出する送出ステップと
を実行させ、
前記機器に、
映像および前記選択キーに対応する図形を合成して所定の表示装置に表示する表示ステップと、
前記リモートコントローラから送出された前記第１の制御信号および前記第２の制御信号を受信する受信ステップと、
前記受信ステップにおいて受信された前記第１の制御信号に対応して、前記表示装置の画面に表示されている前記図形と所定の機能との対応関係を変更する変更ステップと、
前記受信ステップにおいて受信された前記第２の制御信号に対応して、前記表示装置の画面に表示された前記図形に対応する機能のうちの所定のものを選択する選択ステップと、
前記選択ステップにおいて選択された前記機能を実行する実行ステップと
を実行させることを特徴とするリモコンシステムの制御プログラム。
【請求項８】
所定のリモートコントローラによって遠隔制御されるテレビジョン受像機の制御プログラムであって、
映像および前記リモートコントローラの選択キーに対応する図形を合成して所定の表示装置に表示する表示ステップと、
前記リモートコントローラから送出された第１の制御信号および第２の制御信号を受信する受信ステップと、
前記受信ステップにおいて受信された前記第１の制御信号に対応して、前記表示装置の画面に表示されている前記図形と所定の機能との対応関係を変更する変更ステップと、
前記受信ステップにおいて受信された前記第２の制御信号に対応して、前記表示装置の画面に表示された前記図形に対応する機能のうちの所定のものを選択する選択ステップと、
前記選択ステップにおいて選択された前記機能を実行する実行ステップと
をテレビジョン受像機に実行させることを特徴とするテレビジョン受像機の制御プログラム。
【請求項９】
所定の機器を遠隔制御するリモートコントローラの制御プログラムであって、
前記リモートコントローラの筐体に設けられたページ変更キーとおよび選択キーが押されたか否かを検出するキー押下検出ステップと、
前記キー押下検出ステップにおいて前記ページ変更キーが押されたことが検出されたとき、前記ページ変更キーに対応する第１の制御信号を生成する第１の生成ステップと、
前記キー押下検出ステップにおいて前記選択キーが押されたことが検出されたとき、前記選択キーに対応する第２の制御信号を生成する第２の生成ステップと、
前記第１の生成ステップにおいて生成された前記第１の制御信号と、前記第２の生成手段によって生成された前記第２の制御信号を送出する送出ステップと
をリモートコントローラに実行させることを特徴とするリモートコントローラの制御プログラム。
【発明の詳細な説明】
【技術分野】
【０００１】
本発明はリモコンシステムに関し、特に、テレビジョン受像機等の機器を遠隔操作するリモコンシステムに関するものである。
【背景技術】
【０００２】
従来、テレビジョン受像機等を遠隔操作するリモートコントローラ（以下、リモコンと略記する）の操作部は、テレビジョン受像機が実行可能な各機能に対応した複数のキーが配置され、その各キーを押下することにより、各機能に対応する制御信号を赤外線等によってテレビジョン受像機に送信し、所望の機能を実行させることができるようになっている。
【０００３】
また、グラフィックユーザインタフェース（ＧＵＩ）画面のアイコンをリモコンの１０キーで実行するために、それぞれのアイコンに数字を併記したり、さらには放送局を選局するリモコン操作と同様の操作で電子番組表内の番組名のカーソル選択を変更することができるようにすることにより、少ないボタンの押下回数で、かつ日頃使い慣れたリモコン操作で、メニュー処理ができるようにしたものがある（例えば、特許文献１参照）。
【特許文献１】特開２００３−１４３４３３号公報
【発明の開示】
【発明が解決しようとする課題】
【０００４】
しかしながら、背景技術では、データ放送の視聴指示や予約録画した番組の再生指示あるいは予約録画の指示等の各種機能をその機能の数より少ないキーを用いて簡単な操作で実行させることができないという問題があった。
本発明はこのような状況に鑑みてなされたものであり、様々な機能を簡単な操作で実行させることができるようにするものである。
【課題を解決するための手段】
【０００５】
請求項１に記載のリモートコントローラは、リモートコントローラと、リモートコントローラによって制御される機器とからなるリモコンシステムであって、リモートコントローラは、筐体に設けられたページ変更キーと、筐体に設けられた選択キーと、ページ変更キーおよび選択キーが押されたか否かを検出するキー押下検出手段と、キー押下検出手段によってページ変更キーが押されたことが検出されたとき、ページ変更キーに対応する第１の制御信号を生成する第１の生成手段と、キー押下検出手段によって選択キーが押されたことが検出されたとき、選択キーに対応する第２の制御信号を生成する第２の生成手段と、第１の生成手段によって生成された第１の制御信号と、第２の生成手段によって生成された第２の制御信号を送出する送出手段とを備え、機器は、映像および選択キーに対応する図形を合成して表示する表示手段と、リモートコントローラから送出された第１の制御信号および第２の制御信号を受信する受信手段と、受信手段によって受信された第１の制御信号に対応して、画面に表示されている図形と所定の機能との対応関係を変更する変更手段と、受信手段によって受信された第２の制御信号に対応して、表示手段の画面に表示された図形に対応する機能のうちの所定のものを選択する選択手段と、選択手段によって選択された機能を実行する実行手段とを備えることを特徴とする。
請求項２に記載のテレビジョン受像機は、所定のリモートコントローラによって遠隔制御されるテレビジョン受像機であって、映像および選択キーに対応する図形を合成して表示する表示手段と、リモートコントローラから送出された第１の制御信号および第２の制御信号を受信する受信手段と、受信手段によって受信された第１の制御信号に対応して、表示手段の画面に表示されている図形と所定の機能との対応関係を変更する変更手段と、受信手段によって受信された第２の制御信号に対応して、表示手段の画面に表示された図形に対応する機能のうちの所定のものを選択する選択手段と、選択手段によって選択された機能を実行する実行手段とを備えることを特徴とするテレビジョン受像機。
請求項３に記載のリモートコントローラは、所定の機器を遠隔制御するリモートコントローラであって、リモートコントローラは、筐体に設けられたページ変更キーと、筐体に設けられた選択キーと、ページ変更キーおよび選択キーが押されたか否かを検出するキー押下検出手段と、キー押下検出手段によってページ変更キーが押されたことが検出されたとき、ページ変更キーに対応する第１の制御信号を生成する第１の生成手段と、キー押下検出手段によって選択キーが押されたことが検出されたとき、選択キーに対応する第２の制御信号を生成する第２の生成手段と、第１の生成手段によって生成された第１の制御信号と、第２の生成手段によって生成された第２の制御信号を送出する送出手段とを備えることを特徴とする。
請求項４に記載のリモコンシステムの制御方法は、リモートコントローラと、リモートコントローラによって制御される機器とからなるリモコンシステムを制御するリモコンシステムの制御方法であって、リモートコントローラは、筐体に設けられたページ変更キーとおよび選択キーが押されたか否かを検出するキー押下検出ステップと、キー押下検出ステップにおいてページ変更キーが押されたことが検出されたとき、ページ変更キーに対応する第１の制御信号を生成する第１の生成ステップと、キー押下検出ステップにおいて選択キーが押されたことが検出されたとき、選択キーに対応する第２の制御信号を生成する第２の生成ステップと、第１の生成ステップにおいて生成された第１の制御信号と、第２の生成手段によって生成された第２の制御信号を送出する送出ステップとを備え、機器は、映像および選択キーに対応する図形を合成して所定の表示装置に表示する表示ステップと、リモートコントローラから送出された第１の制御信号および第２の制御信号を受信する受信ステップと、受信ステップにおいて受信された第１の制御信号に対応して、表示装置の画面に表示されている図形と所定の機能との対応関係を変更する変更ステップと、受信ステップにおいて受信された第２の制御信号に対応して、表示装置の画面に表示された図形に対応する機能のうちの所定のものを選択する選択ステップと、選択ステップにおいて選択された機能を実行する実行ステップとを備えることを特徴とする。
請求項５に記載のテレビジョン受像機の制御方法は、所定のリモートコントローラによって遠隔制御されるテレビジョン受像機の制御方法であって、映像およびリモートコントローラの選択キーに対応する図形を合成して所定の表示装置に表示する表示ステップと、リモートコントローラから送出された第１の制御信号および第２の制御信号を受信する受信ステップと、受信ステップにおいて受信された第１の制御信号に対応して、表示装置の画面に表示されている図形と所定の機能との対応関係を変更する変更ステップと、受信ステップにおいて受信された第２の制御信号に対応して、表示装置の画面に表示された図形に対応する機能のうちの所定のものを選択する選択ステップと、選択ステップにおいて選択された機能を実行する実行ステップとを備えることを特徴とする。
請求項６に記載のリモートコントローラの制御方法は、所定の機器を遠隔制御するリモートコントローラの制御方法であって、筐体に設けられたページ変更キーとおよび選択キーが押されたか否かを検出するキー押下検出ステップと、キー押下検出ステップにおいてページ変更キーが押されたことが検出されたとき、ページ変更キーに対応する第１の制御信号を生成する第１の生成ステップと、キー押下検出ステップにおいて選択キーが押されたことが検出されたとき、選択キーに対応する第２の制御信号を生成する第２の生成ステップと、第１の生成ステップにおいて生成された第１の制御信号と、第２の生成手段によって生成された第２の制御信号を送出する送出ステップとを備えることを特徴とする。
請求項７に記載のリモコンシステムの制御プログラムは、リモートコントローラと、リモートコントローラによって制御される機器とからなるリモコンシステムを制御するリモコンシステムの制御プログラムであって、リモートコントローラに、リモートコントローラの筐体に設けられたページ変更キーとおよび選択キーが押されたか否かを検出するキー押下検出ステップと、キー押下検出ステップにおいてページ変更キーが押されたことが検出されたとき、ページ変更キーに対応する第１の制御信号を生成する第１の生成ステップと、キー押下検出ステップにおいて選択キーが押されたことが検出されたとき、選択キーに対応する第２の制御信号を生成する第２の生成ステップと、第１の生成ステップにおいて生成された第１の制御信号と、第２の生成手段によって生成された第２の制御信号を送出する送出ステップとを実行させ、機器に、映像および選択キーに対応する図形を合成して所定の表示装置に表示する表示ステップと、リモートコントローラから送出された第１の制御信号および第２の制御信号を受信する受信ステップと、受信ステップにおいて受信された第１の制御信号に対応して、表示装置の画面に表示されている図形と所定の機能との対応関係を変更する変更ステップと、受信ステップにおいて受信された第２の制御信号に対応して、表示装置の画面に表示された図形に対応する機能のうちの所定のものを選択する選択ステップと、選択ステップにおいて選択された機能を実行する実行ステップとを実行させることを特徴とする。
請求項８に記載のテレビジョン受像機の制御プログラムは、所定のリモートコントローラによって遠隔制御されるテレビジョン受像機の制御プログラムであって、映像およびリモートコントローラの選択キーに対応する図形を合成して所定の表示装置に表示する表示ステップと、リモートコントローラから送出された第１の制御信号および第２の制御信号を受信する受信ステップと、受信ステップにおいて受信された第１の制御信号に対応して、表示装置の画面に表示されている図形と所定の機能との対応関係を変更する変更ステップと、受信ステップにおいて受信された第２の制御信号に対応して、表示装置の画面に表示された図形に対応する機能のうちの所定のものを選択する選択ステップと、選択ステップにおいて選択された機能を実行する実行ステップとをテレビジョン受像機に実行させることを特徴とする。
請求項９に記載のリモートコントローラの制御プログラムは、所定の機器を遠隔制御するリモートコントローラの制御プログラムであって、リモートコントローラの筐体に設けられたページ変更キーとおよび選択キーが押されたか否かを検出するキー押下検出ステップと、キー押下検出ステップにおいてページ変更キーが押されたことが検出されたとき、ページ変更キーに対応する第１の制御信号を生成する第１の生成ステップと、キー押下検出ステップにおいて選択キーが押されたことが検出されたとき、選択キーに対応する第２の制御信号を生成する第２の生成ステップと、第１の生成ステップにおいて生成された第１の制御信号と、第２の生成手段によって生成された第２の制御信号を送出する送出ステップとをリモートコントローラに実行させることを特徴とする。
【発明の効果】
【０００６】
本発明のリモコンシステムによれば、様々な機能を限られた数のキーに割り当て、その割り当てを適宜変更することができるので、限られた数のキーを操作して様々な機能を実行させることができる。
【発明を実施するための最良の形態】
【０００７】
図１は、本発明が適用されるリモートコントローラ（以下リモコンと略記する）の一実施の形態の外観図を示している。同図に示すように、リモコン１００は、電源のオンオフを指示するための電源ボタン１２０と、後述するテレビジョン受像機２００の画面に表示されたメニューの上のページを表示させるときに操作される上ページキー１２２と、下のページを表示させるときに操作される下ページキー１２３と、音量を調節するときに操作される音量ボタン１２１と、画面に表示されたメニューの中から所望の項目を選択するときに操作される複数のキーからなる選択キー１２４とを有している。
【０００８】
図２は、図１に示したリモコン１００の構成例を示すブロック図である。同図に示すように、リモコン１００は、電源ボタン１２０と、音量ボタン１２１と、上ページキー１２２と、下ページキー１２３と、選択キー１２４と、インタフェース１０２と、制御部１０１と、発光制御部１１０と、発光部１１１とから構成されている。
【０００９】
電源ボタン１２０と、音量ボタン１２１と、上ページキー１２２と、下ページキー１２３と、選択キー１２４とはそれぞれインタフェース１０２を介して制御部１０１に接続されている。
【００１０】
電源ボタン１２０は、電源がオンまたはオフされたとき、それぞれに対応する信号をインタフェース１０２に供給し、インタフェース１０２は、この信号に基づいて電源がオンまたはオフされたことを示すデータを制御部１０１に供給するようになっている。
【００１１】
音量ボタン１２１は、音量を上げる操作または音量を下げる操作がされたとき、それぞれに対応する信号をインタフェース１０２に供給し、インタフェース１０２は、この信号に基づいて音量を上げる操作または下げる操作がされたことを示すデータを制御部１０１に供給するようになっている。
【００１２】
上ページキー１２２は、上ページキー１２２が押されたとき、上ページキー１２２が押されたことを示す信号をインタフェース１０２に供給し、インタフェース１０２は、この信号に基づいて上ページキー１２２が押されたことを示す示すデータを制御部１０１に供給するようになっている。
【００１３】
下ページキー１２３は、下ページキー１２３が押されたとき、下ページキー１２３が押されたことを示す信号をインタフェース１０２に供給し、インタフェース１０２は、この信号に基づいて下ページキー１２３が押されたことを示す示すデータを制御部１０１に供給するようになっている。
【００１４】
制御部１０１は、インタフェース１０２を介して供給される各操作に対応するデータに基づいて、各操作に対応するコマンドを生成し、発光制御部１１０に供給するようになっている。
【００１５】
発光制御部１１０は、制御部１０１より供給されたコマンドに対応する制御信号を発光部１１１に供給するようになっている。発光部１１１は、発光制御部１１０からの制御信号に従って赤外線を発光し、上記コマンドを送信するようになっている。
【００１６】
図３は、図１のリモコン１００によって制御可能なテレビジョン受像機２００の構成例を示すブロック図である。同図に示すように、テレビジョン受像機２００は、受光部２０１と、インタフェース（Ｉ／Ｆ）２０２と、制御部２０３と、オーバレイグラフィック処理部２０４と、音声処理部２０６と、チューナ２１０と、映像信号処理部２１１と、音声信号処理部２１２と、映像出力処理部２１３と、音声出力処理部２１４と、表示部２２０と、スピーカ２３０等から構成されている。チューナ２１０は、地上波放送、ＢＳ放送、ＣＳ放送、データ放送等を受信し、所望のチャンネルを選局することができるものとする。
【００１７】
受光部２０１は、リモコン１００の発光部１１１より出射された赤外線を受光し、対応する電気信号に変換した後、インタフェース（Ｉ／Ｆ）２０２に供給するようになっている。Ｉ／Ｆ２０２は、受光部２０１より供給された電気信号に対応する制御データを制御部２０３に供給するようになっている。制御部２０３は、Ｉ／Ｆ２０２より供給された制御データに基づいて各部を制御し、リモコン１００の操作に対応する各種処理を実行するようになっている。
【００１８】
オーバレイグラフィック処理部２０４は、制御部２０３の制御下、映像に重ね合わせる文字や図形からなるオーバレイグラフィックを生成し、映像出力処理部２１３に供給するようになっている。例えば、図４に示すようなメニューを生成するようになっている。
【００１９】
音声処理部２０６は、制御部２０３からの指令に基づいて音声信号を生成し、音声出力処理部２１４に供給するようになっている。例えば、リモコン１００のキー操作に応じた音声信号を生成するようになっている。
【００２０】
チューナ２１０は、図示しないアンテナによって受信された受信信号から所定のチャンネルの映像音声信号を抽出し、映像信号を映像信号処理部２１１に供給し、音声信号を音声信号処理部２１２に供給するようになっている。
【００２１】
映像信号処理部２１１は、チューナ２１０より供給された映像信号に対して所定の処理を施した後、映像出力処理部２１３に供給するようになっている。音声信号処理部２１２は、チューナ２１０より供給された音声信号に対して所定の処理を施した後、音声出力処理部２１４に供給するようになっている。
【００２２】
映像出力処理部２１３は、オーバレイグラフィック処理部２０４によって生成されたオーバレイグラフィックを映像信号処理部２１１より供給された映像信号に重ね合わせて合成映像信号を生成し、表示部２２０に供給するようになっている。表示部２２０は、映像出力処理部２１３より供給された合成映像信号に対応する映像を画面に表示するようになっている。
【００２３】
音声出力処理部２１４は、音声信号処理部２１２より供給された音声信号と、音声処理部２０６より供給された音声信号を合成し、スピーカ２３０に供給するようになっている。スピーカ２３０は、音声出力処理部２１４より供給された音声信号を出力するようになっている。
【００２４】
図４は、表示部２２０の画面に表示されたメニューの例を示している。制御部２０３の制御によって表示されるこのメニューは、テレビジョン受像機２００が実行可能な録画機能、データ放送の受信機能、各放送局の選局を行う選局機能等に対応する複数の項目から構成されている。これらの項目は、リモコン１００のキーやボタンを模した図形で表され、リモコン１００のキーやボタンと同一の配置で画面上に表示される。
【００２５】
次に、図５のフローチャートを参照して、リモコン１００が操作されたときの制御部１０１の処理手順について説明する。まず、ステップＳ１において、上ページキー１２２が押されたか否かが判定される。上ページキー１２２が押されたと判定された場合、ステップＳ２に進む。一方、上ページキー１２２が押されていないと判定された場合、ステップＳ３に進む。
【００２６】
ステップＳ２においては、制御部１０１により上ページキー１２２が押されたことを示すコマンドＡが生成され、発光制御部１１０に供給される。発光制御部１１０は、制御部１０１から供給されたコマンドＡに対応する制御信号を発光部１１１に供給する。発光部１１１は発光制御部１１０より供給された制御信号に従って赤外線を発光し、コマンドＡを送信する。
【００２７】
ステップＳ３においては、下ページキー１２３が押されたか否かが判定される。下ページキー１２３が押されたと判定された場合、ステップＳ４に進む。一方、下ページキー１２３が押されていないと判定された場合、ステップＳ５に進む。
【００２８】
ステップＳ４においては、制御部１０１により下ページキー１２３が押されたことを示すコマンドＢが生成され、発光制御部１１０に供給される。発光制御部１１０は、制御部１０１から供給されたコマンドＢに対応する制御信号を発光部１１１に供給する。発光部１１１は発光制御部１１０より供給された制御信号に従って赤外線を発光し、コマンドＢを送信する。
【００２９】
ステップＳ５においては、選択キー１２４が押されたか否かが判定される。選択キー１２４が押されたと判定された場合、ステップＳ６に進む。一方、選択キー１２４が押されていないと判定された場合、ステップＳ７に進む。
【００３０】
ステップＳ６においては、制御部１０１により押された選択キー１２４を示すコマンドＣが生成され、発光制御部１１０に供給される。発光制御部１１０は、制御部１０１から供給されたコマンドＣに対応する制御信号を発光部１１１に供給する。発光部１１１は発光制御部１１０より供給された制御信号に従って赤外線を発光し、コマンドＣを送信する。
【００３１】
ステップＳ７においては、音量ボタン１２１が操作されたか否かが判定される。音量ボタン１２１が操作されたと判定された場合、ステップＳ８に進む。一方、音量ボタン１２１が操作されていないと判定された場合、ステップＳ９に進む。
【００３２】
ステップＳ８においては、制御部１０１により音量ボタン１２１の操作に対応するコマンドＤ、即ち、音量を上げる操作または音量を下げる操作に対応するコマンドＤが生成され、発光制御部１１０に供給される。発光制御部１１０は、制御部１０１から供給されたコマンドＤに対応する制御信号を発光部１１１に供給する。発光部１１１は発光制御部１１０より供給された制御信号に従って赤外線を発光し、コマンドＤを送信する。その後、ステップＳ９に進む。
【００３３】
ステップＳ９においては、電源ボタン１２０が操作されたか否かが判定される。電源ボタン１２０が操作されたと判定された場合、ステップＳ１０に進む。一方、電源ボタン１２０が操作されていないと判定された場合、ステップＳ１に戻り、ステップＳ１以降の処理が繰り返し実行される。
【００３４】
ステップＳ１０においては、制御部１０１により電源ボタン１２０が押されたことを示すコマンドＥが生成され、発光制御部１１０に供給される。発光制御部１１０は、制御部１０１から供給されたコマンドＥに対応する制御信号を発光部１１１に供給する。発光部１１１は発光制御部１１０より供給された制御信号に従って赤外線を発光し、コマンドＥを送信する。その後、ステップＳ１に戻り、ステップＳ１以降の処理が繰り返し実行される。
【００３５】
次に、図６のフローチャートを参照して、テレビジョン受像機２００の処理手順について説明する。いま、テレビジョン受像機２００の画面には、リモコン１００の所定の操作により、図４に示すように、いま選局されているチャンネルの映像が表示され、リモコン１００の選局キー１２４に対応する項目と、上ページキー１２２および下ページキー１２３に対応する図形からなるメニューがその映像に重ねて表示されているものとする。
【００３６】
即ち、制御部２０３は、図４に示したような各キーに対応する図形を表示するためのオーバレイグラフィックを生成し、オーバレイグラフィック処理部２０４に供給する。チューナ２１０は、選局されたチャンネルの映像音声信号のうち、映像信号を映像信号処理部２１１に供給し、音声信号を音声信号処理部２１２に供給する。
【００３７】
映像信号処理部２１１は、チューナ２１０より供給された映像信号を映像出力処理部２１３に供給する。音声信号処理部２１２は、チューナ２１０より供給された音声信号を音声出力処理部２１４に供給する。
【００３８】
映像出力処理部２１３は、映像信号処理部２１１より供給された映像信号にオーバレイグラフィック処理部２０４より供給されたオーバレイグラフィックを重ね合わせて合成し、合成した映像信号を表示部２２０に供給する。表示部２２０は、映像出力処理部２１３より供給された映像信号を画面に表示する。これにより、図４に示すように、各キーに対応する図形がオーバレイ表示された映像が表示される。
【００３９】
まず、ステップＳ１１において、制御部２０３により、受光部２０１によってリモコン１００から送信されてきたコマンドＡが受信され、そのコマンドＡに対応する制御データがインタフェース２０２を介して制御部２０３に供給されたか否かが判定される。
【００４０】
その結果、受光部２０１によってリモコン１００から送信されてきたコマンドＡが受信され、そのコマンドＡに対応する制御データがインタフェース２０２を介して制御部２０３に供給されたと判定された場合、ステップＳ１２に進む。
【００４１】
一方、受光部２０１によってリモコン１００から送信されてきたコマンドＡが受信されておらず、そのコマンドＡに対応する制御データがインタフェース２０２を介して制御部２０３に供給されていないと判定された場合、ステップＳ１３に進む。
【００４２】
ステップＳ１２においては、リモコン１００より送信されてきたコマンドＡに基づいて、表示部２２０の画面に表示されている項目に割り当てる機能を変更し、変更後の機能を表す文字等をリモコン１００の各キーを模した図形内に表示する。
【００４３】
図７は、テレビジョン受像機２００が実行可能な各機能と、表示部２２０の画面に表示されたメニューを構成する各項目に割り当てられた機能との対応関係を示している。例えば、図７に示した例の場合、６行×３列で仮想的に設定された各機能のうち、画面内に表示可能な機能の数は３行×３列の９個とされる。制御部２０３は、コマンドＡを受信すると、６行×３列で仮想的に設定された各機能を破線で表された表示部２２０の画面に対して相対的に下方向に移動させ、画面に表示される各項目に対応する機能を変更する。
【００４４】
例えば、図４に示したような各項目が表示されている状態で、上ページキー１２２が１回押されると、図７に示した仮想的に設定された各機能が１行分だけ破線で囲まれた領域（表示部２２０の画面に対応する）に対して下方向に仮想的に移動する。これにより、表示部２２０のメニューから項目「予約」が消え、メニュー項目「ｄ天気」がメニューの中央に移動し、機能「ｄ天気」の上の機能「Ｅ」に対応する項目がメニュー内に移動する。
【００４５】
ステップＳ１３においては、制御部２０３により、受光部２０１によってリモコン１００から送信されてきたコマンドＢが受信され、そのコマンドＢに対応する制御データがインタフェース２０２を介して制御部２０３に供給されたか否かが判定される。
【００４６】
その結果、受光部２０１によってリモコン１００から送信されてきたコマンドＢが受信され、そのコマンドＢに対応する制御データがインタフェース２０２を介して制御部２０３に供給されたと判定された場合、ステップＳ１４に進む。
【００４７】
一方、受光部２０１によってリモコン１００から送信されてきたコマンドＢが受信されておらず、そのコマンドＢに対応する制御データがインタフェース２０２を介して制御部２０３に供給されていないと判定された場合、ステップＳ１５に進む。
【００４８】
ステップＳ１４においては、リモコン１００より送信されてきたコマンドＢに基づいて、表示部２２０の画面に表示されている項目に割り当てる機能を変更し、変更後の機能を表す文字等をリモコン１００の各キーを模した図形内に表示する。
【００４９】
例えば、図４に示したような各項目が画面に表示されている状態で、下ページキー１２３が１回押されると、図７に示した仮想的に設定された各機能が１行分だけ破線で囲まれた領域に対して上方向に仮想的に移動する。これにより、表示部２２０のメニューから項目「ｄ天気」が消え、機能「予約」の下の機能「Ｈ」に対応する項目がメニュー内に移動する。即ち、図７の破線で囲まれた領域は、表示部２２０の画面に対応しており、この破線で囲まれた領域内にある機能に対応する項目が表示部２２０の画面に表示されることになる。その後、ステップＳ１５に進む。
【００５０】
ステップＳ１５においては、制御部２０３により、受光部２０１によってリモコン１００から送信されてきたコマンドＣが受信され、そのコマンドＣに対応する制御データがインタフェース２０２を介して制御部２０３に供給されたか否かが判定される。
【００５１】
その結果、受光部２０１によってリモコン１００から送信されてきたコマンドＣが受信され、そのコマンドＣに対応する制御データがインタフェース２０２を介して制御部２０３に供給されたと判定された場合、ステップＳ１６に進む。
【００５２】
一方、受光部２０１によってリモコン１００から送信されてきたコマンドＣが受信されておらず、そのコマンドＣに対応する制御データがインタフェース２０２を介して制御部２０３に供給されていないと判定された場合、ステップＳ１７に進む。
【００５３】
ステップＳ１６においては、制御部２０３により、リモコン１００より送信されてきたコマンドＣに基づいて、表示部２２０の画面に表示されている各項目に割り当てられた機能のうち、どの機能が選択されたのかが判断され、選択された機能が実行される。
【００５４】
例えば、項目「ｄ天気」が選択された場合、制御部２０３は、チューナ２１０に対してデータ放送の天気予報番組を選局するよう指令する。この指令を受けたチューナ２１０は、データ放送の天気予報番組を選局し、映像信号を映像信号処理部２１１に供給する。映像信号処理部２１１は、チューナ２１０より供給された映像信号を映像出力処理部２１３に供給する。映像出力処理部２１３は、映像信号処理部２１１より供給された映像信号を表示部２２０に供給する。これにより、表示部２２０の画面にはデータ放送の天気予報番組が表示される。
【００５５】
また、項目「最新録画」が選択された場合、制御部２０３は、テレビジョン受像機２００に接続されている図示しない録画装置に対して録画された番組の中から最新のものを再生し、再生信号を供給するよう指令する。この指令を受けた図示しない録画装置は、録画しておいた番組の中の最新のもの再生し、再生信号をテレビジョン受像機２００に供給する。
【００５６】
映像出力処理部２１３は、録画装置から供給された再生信号のうち、映像信号を入力し、表示部２２０に供給する。音声出力処理部２１４は、録画装置から供給された再生信号のうち、音声信号を入力し、スピーカ２３０に供給する。これにより、録画された最新の番組が再生され、表示部２２０に再生された映像が表示され、スピーカ２３０より音声が出力される。ステップＳ１６の処理が終了すると、ステップＳ１７に進む。
【００５７】
ステップＳ１７においては、制御部２０３により、受光部２０１によってリモコン１００から送信されてきたコマンドＤが受信され、そのコマンドＤに対応する制御データがインタフェース２０２を介して制御部２０３に供給されたか否かが判定される。
【００５８】
その結果、受光部２０１によってリモコン１００から送信されてきたコマンドＤが受信され、そのコマンドＤに対応する制御データがインタフェース２０２を介して制御部２０３に供給されたと判定された場合、ステップＳ１８に進む。
【００５９】
一方、受光部２０１によってリモコン１００から送信されてきたコマンドＤが受信されておらず、そのコマンドＤに対応する制御データがインタフェース２０２を介して制御部２０３に供給されていないと判定された場合、ステップＳ１９に進む。
【００６０】
ステップＳ１８においては、制御部２０３により、リモコン１００より送信されてきたコマンドＤに基づいて、音量が調節される。即ち、制御部２０３は、音声出力処理部２１４に対して、コマンドＤに基づき、所定の音量に調節するよう指令する。この指令を受けた音声出力処理部２１４は、スピーカ２３０に出力する音声信号の出力を調節する。その後、ステップＳ１９に進む。
【００６１】
ステップＳ１９においては、制御部２０３により、受光部２０１によってリモコン１００から送信されてきたコマンドＥが受信され、そのコマンドＥに対応する制御データがインタフェース２０２を介して制御部２０３に供給されたか否かが判定される。
【００６２】
その結果、受光部２０１によってリモコン１００から送信されてきたコマンドＥが受信され、そのコマンドＥに対応する制御データがインタフェース２０２を介して制御部２０３に供給されたと判定された場合、ステップＳ２０に進む。
【００６３】
一方、受光部２０１によってリモコン１００から送信されてきたコマンドＥが受信されておらず、そのコマンドＥに対応する制御データがインタフェース２０２を介して制御部２０３に供給されていないと判定された場合、ステップＳ１１に戻り、ステップＳ１１以降の処理が繰り返し実行される。
【００６４】
ステップＳ２０においては、制御部２０３により、リモコン１００より送信されてきたコマンドＥに基づいて、電源がオンまたはオフされる。即ち、制御部２０３はコマンドＥに基づき、図示しない電源制御部に対して、テレビジョン受像機２００の電源がオンされている場合には電源をオフするよう指令し、テレビジョン受像機２００の電源がオフされている場合には電源をオンするよう指令する。この指令を受けた図示しない電源制御部は、テレビジョン受像機２００の電源がオンされている場合には電源をオフにし、テレビジョン受像機２００の電源がオフされている場合には電源をオンにする。その後、ステップＳ１１に戻り、ステップＳ１１以降の処理が繰り返し実行される。
【００６５】
以上説明したように、複数の機能の中から所望の機能を簡単なリモコン操作によって実行させることができるので、リモコンシステムの使い勝手を向上させることができる。
【００６６】
なお、図７に示した６行×３列で表される各機能は例であって、所望の機能を予め設定し、記憶させておくことができる。また、設定可能な機能の数は任意に設定することができる。
【００６７】
また、上記実施の形態の構成及び動作は例であって、本発明の趣旨を逸脱しない範囲で適宜変更することができることは言うまでもない。
【産業上の利用可能性】
【００６８】
本発明の活用例として、例えば、テレビジョン放送を受信可能な録画装置やカーナビゲーションシステム等をリモートコントロールするリモコンシステム等に本発明を適用することができる。
【図面の簡単な説明】
【００６９】
【図１】本発明におけるリモコンの一実施の形態の外観図である。
【図２】図１のリモコンの構成例を示すブロック図である。
【図３】図１のリモコンによって制御されるテレビジョン受像機の構成例を示すブロック図である。
【図４】テレビジョン受像機の表示部の画面に表示されるメニューの例を示す図である。
【図５】リモコンの処理手順を説明するためのフローチャートである。
【図６】テレビジョン受像機の処理手順を説明するためのフローチャートである。
【図７】メニューの各項目と各機能の対応を示す図である。
【符号の説明】
【００７０】
１００  リモコン
１０２，２０２  インタフェース（Ｉ／Ｆ）
１０１，２０３  制御部
１１０  発光制御部
１１１  発光部
１２０  電源ボタン
１２１  音量ボタン
１２２  上ページキー
１２３  下ページキー
１２４  選択キー
２００  テレビジョン受像機
２０１  受光部
２０４  オーバレイグラフィック処理部
２０６  音声処理部
２１０  チューナ
２１１  映像信号処理部
２１２  音声信号処理部
２１３  映像出力処理部
２１４  音声出力処理部
２２０  表示部
２３０  スピーカ
【図１】
2006217292.tif 000003
【図２】
2006217292.tif 000004
【図３】
2006217292.tif 000005
【図４】
2006217292.tif 000006
【図５】
2006217292.tif 000007
【図６】
2006217292.tif 000008
【図７】
2006217292.tif 000009